(57)【特許請求の範囲】
【請求項１】
見開き状態の書籍の各ページをめくり元位置からめくり先位置へめくるページめくり装置を使用する前記書籍の電子データ化に向けた撮影作業の内容をユーザーに設定させる設定手段と、
ユーザーに設定された前記撮影作業の内容に応じた撮影手順に関する案内情報として、前記撮影手順を構成する複数の撮影工程の内容をユーザーに提供する提供手段と、
前記複数の撮影工程それぞれに対応する撮影実行の指示操作を受け付ける受付手段と、
を備え、
前記提供手段は、撮影工程の内容と当該撮影工程の撮影実行を指示するための撮影指示ボタンとを１つの組として前記複数の撮影工程に対応する複数の前記組をスクロール可能に表示画面に表示することにより、前記複数の撮影工程の内容をユーザーに提供し、
前記受付手段は、前記撮影指示ボタンを介して撮影実行の指示操作を受け付ける、
ことを特徴とする撮影作業支援装置。
【請求項２】
前記撮影作業には、作業途中に前記書籍の上下方向の向きの反転を要する撮影作業が含まれることを特徴とする請求項１記載の撮影作業支援装置。
【請求項３】
前記撮影作業の内容には、前記書籍における撮影対象と前記書籍の綴じ方向とに関する情報が含まれることを特徴とする請求項１又は２記載の撮影作業支援装置。
【請求項４】
前記提供手段は、前記ページめくり装置のめくり動作に連動して左ページを撮影する工程、及び前記ページめくり装置のめくり動作に連動して右ページを撮影する工程の少なくとも１つを含む前記複数の撮影工程の内容をユーザーに提供することを特徴とする請求項１乃至３のいずれか１項に記載の撮影作業支援装置。
【請求項５】
見開き状態の書籍の各ページをめくり元位置からめくり先位置へめくるページめくり装置を使用する前記書籍の電子データ化に向けた撮影作業の内容をユーザーに設定させる設定ステップと、
ユーザーに設定された前記撮影作業の内容に応じた撮影手順に関する案内情報として、前記撮影手順を構成する複数の撮影工程の内容をユーザーに提供する提供ステップと、
前記複数の撮影工程それぞれに対応する撮影実行の指示操作を受け付ける受付ステップと、
を含み、
前記提供ステップは、撮影工程の内容と当該撮影工程の撮影実行を指示するための撮影指示ボタンとを１つの組として前記複数の撮影工程に対応する複数の前記組をスクロール可能に表示画面に表示することにより、前記複数の撮影工程の内容をユーザーに提供し、
前記受付ステップは、前記撮影指示ボタンを介して撮影実行の指示操作を受け付ける、
ことを特徴とする撮影作業支援方法。
【請求項６】
コンピュータに、
見開き状態の書籍の各ページをめくり元位置からめくり先位置へめくるページめくり装置を使用する前記書籍の電子データ化に向けた撮影作業の内容をユーザーに設定させる設定機能、
ユーザーに設定された前記撮影作業の内容に応じた撮影手順に関する案内情報として、前記撮影手順を構成する複数の撮影工程の内容をユーザーに提供する提供機能、
前記複数の撮影工程それぞれに対応する撮影実行の指示操作を受け付ける受付機能、
を実現させるためのプログラムであって、
前記提供機能は、撮影工程の内容と当該撮影工程の撮影実行を指示するための撮影指示ボタンとを１つの組として前記複数の撮影工程に対応する複数の前記組をスクロール可能に表示画面に表示することにより、前記複数の撮影工程の内容をユーザーに提供し、
前記受付機能は、前記撮影指示ボタンを介して撮影実行の指示操作を受け付ける、
プログラム。
【発明の詳細な説明】
【技術分野】
【０００１】
本発明は、書籍の電子データ化に伴う撮影作業を支援する技術に関する。
【背景技術】
【０００２】
従来、書籍（例えば本や雑誌）の重なっているページをページめくり装置を用いて１枚ずつ分離してめくるとともに、その間に撮影装置によって各ページを撮影して電子データ化し、複数ページ分の電子データを書籍ファイルとして記録する書画カメラシステムが知られている（例えば特許文献１，２参照）。上記ページめくり装置は、回動自在なアームの先端部によって見開き状態の書籍の各ページをめくり元位置（見開きページの一方側）からめくり先位置（見開きページの他方側）へ機械的にめくる構成である。係る書画カメラシステムを用いれば、任意の書籍を誰もが簡単に電子データ化することができる。
【０００３】
すなわちページめくり装置のページめくり動作と連動してめくり元位置にあるページを撮影することによって偶数ページや奇数ページ等からなる一連のページ画像を取得し、それらをページ順に統合し書籍ファイルとして保存すれば書籍を電子データ化することができる。
【先行技術文献】
【特許文献】
【０００４】
【特許文献１】特開２０１４−１１７８９３号公報
【特許文献２】特開２０１５−６７５４号公報
【発明の概要】
【発明が解決しようとする課題】
【０００５】
しかしながら、上記ページめくり装置を用いたとしても、１回の作業によって自動的に撮影できるのは見開きページの一方側の複数ページのみに過ぎない。そのため、書籍の電子データ化に際しては、見開きページの一方側の複数ページとは別に、見開きページの他方側の複数ページ、書籍の表紙（表表紙や裏表紙等）を撮影する必要があり、撮影作業が複数工程からなる作業となる。さらに、その際には、書籍の綴じ方向（左綴じ又は右綴じ）や撮影工程に応じて書籍の上下の向きを決定する必要がある。したがって、撮影作業が煩雑であった。
【０００６】
本発明は、上記の課題に鑑みてなされたものであり、書籍の電子データ化に伴う撮影作業における作業者の作業性を向上させることを目的とする。
【課題を解決するための手段】
【０００７】
上記の目的を達成するため、本発明に係る撮影作業支援装置は、見開き状態の書籍の各ページをめくり元位置からめくり先位置へめくるページめくり装置を使用する前記書籍の電子データ化に向けた撮影作業の内容をユーザーに設定させる設定手段と、ユーザーに設定された前記撮影作業の内容に応じた撮影手順に関する案内情報として前記撮影手順を構成する複数の撮影工程の内容をユーザーに提供する提供手段と、前記複数の撮影工程それぞれに対応する撮影実行の指示操作を受け付ける受付手段と、を備え、前記提供手段は、撮影工程の内容と当該撮影工程の撮影実行を指示するための撮影指示ボタンとを１つの組として前記複数の撮影工程に対応する複数の前記組をスクロール可能に表示画面に表示することにより、前記複数の撮影工程の内容をユーザーに提供し、前記受付手段は、前記撮影指示ボタンを介して撮影実行の指示操作を受け付ける、ことを特徴とする。
【発明の効果】
【０００８】
本発明によれば、書籍の電子データ化に伴う撮影作業における作業者の作業性を向上させることができる。
【図面の簡単な説明】
【０００９】
【図１】本発明の一実施の形態に係る書画カメラシステムの概略構成を示す斜視図である。
【図２】書画カメラシステムの電気的構成の要部を示すブロック図である。
【図３】粘着ローラーの軌道と書籍との位置関係を示す平面図である。
【図４】（ａ）〜（ｄ）は、アームのページめくり動作を示す正面図である。
【図５】タブレットの撮影準備処理を示すフローチャートである。
【図６】撮影対象が両面ページに設定されているときの撮影準備画面を示す図である。
【図７】撮影対象が片面ページに設定されているときの撮影準備画面を示す図である。
【図８】タブレットにおける撮影処理を示すフローチャートである。
【図９】右開き両ページ用の撮影操作画面を示す図である。
【図１０】図９に続く撮影操作画面を示す図である。
【図１１】左開き両ページ用の撮影操作画面を示す図である。
【図１２】図１１に続く撮影操作画面を示す図である。
【発明を実施するための形態】
【００１０】
以下、本発明の実施形態を、図面を参照して説明する。
【００１１】
図１は、本発明の一実施の形態に係る書画カメラシステム１の概略構成を示す斜視図である。この書画カメラシステム１は、タブレット２とページめくり装置３とから構成される。
【００１２】
ページめくり装置３は、開かれた書籍Ｂを保持する保持台５と、保持台５上の書籍Ｂのめくり元位置にあるページＰを保持し、ページＰのめくり先位置でページＰに対する保持を解除することによってページＰをめくる装置本体４と、保持台５に着脱自在なクリップ６と、ページレシーバー７とを備えている。
【００１３】
装置本体４には、ページＰを機械的にめくるめくり機構４１と、めくり機構４１の動作中に、めくり元位置にあるページＰの上方でめくり先位置に向けて風を送り、既にめくられたページＰの戻りを風圧によって防止するための送風部４４とが設けられている。
【００１４】
めくり機構４１は、所定の角度範囲で回転自在なアーム４２と、その先端に設けられた粘着ローラー４３とを備えている。粘着ローラー４３は、アーム４２の先端に回転自在に取り付けられたスポンジやゴム等の弾性部材の周面に、仮止め用の粘着テープと同様の弱い粘着力を有する粘着部材が巻き付けられた構成である。
【００１５】
ページめくり装置３においては、めくり機構４１のアーム４２が基端部を中心に反時計方向と時計方向とに回転し、それに伴い粘着ローラー４３が開かれた書籍Ｂの上方で円弧を描いてめくり元位置（図１で見開きページの左側）とめくり先位置（図１で見開きページの右側）との間を往復することにより、めくり元位置にあるページＰをめくり先位置にめくることができる。
【００１６】
めくり機構４１によるページめくり動作を具体的に説明すると以下の通りである。図３は、粘着ローラー４３の軌道と書籍Ｂとの位置関係を示す平面図である。アーム４２が反時計方向と時計方向とに回転する間、粘着ローラー４３は、図３に実線で示した位置と破線で示した位置の間を往復する。なお、アーム４２が停止しているときの粘着ローラー４３の位置、つまり初期位置は実線で示した位置であって、書籍Ｂの上縁からやや離れた位置である。
【００１７】
図４（ａ）に示したように、アーム４２が反時計方向へ回転すると、粘着ローラー４３がめくり元位置にあるページＰの端部に当接し、その時点でページＰの端部が弱い粘着力によって粘着ローラー４３に保持される。また、アーム４２が時計方向への回転を開始すると、粘着ローラー４３がページＰの端部を保持したまま初期位置へ向かって移動し、ページＰの端部がめくり先位置へ向かって移動される（図４（ｂ））。
【００１８】
さらに、粘着ローラー４３が初期位置の近くまで移動すると、粘着ローラー４３が書籍Ｂから離れる（逃げる）ことによって粘着ローラー４３からページＰが剥離する（図４（ｃ））。その後、粘着ローラー４３が初期位置に戻る一方、粘着ローラー４３から剥離したページＰがめくり先位置に移動する（図４（ｄ））。
【００１９】
なお、アーム４２によってページＰがめくられる間には、送風部４４から送られる風によってめくり先位置に移動したページＰの戻りが防止される。
【００２０】
クリップ６とページレシーバー７とは、保持台５に装着される補助具である。クリップ６は、めくり先位置で重なるページを、めくり先位置に固定するものである。ページレシーバー７は、軟質材からなる羽根７２が周面に設けられたローラー７１を図示しない内蔵モータにより図１に矢印で示した一方向に回転させ、めくり先位置の近傍で粘着ローラー４３から剥離したページＰの端部を巻き込み、めくり先位置へ確実に移動させるものである。
【００２１】
一方、タブレット２は、カメラ（後述する撮像部）を備えた携帯可能な情報処理端末であって、スタンド２０を用いて書籍（例えば本や雑誌）Ｂの上方に設置されることにより、書籍Ｂのめくり元位置のページＰを撮影対象として撮影する。なお、タブレット２とページめくり装置３とは、それぞれに内蔵されたＢｌｕｅｔｏｏｔｈ（登録商標）やＷｉ−Ｆｉ（登録商標）等の近距離無線通信アダプタを介して通信可能である。
【００２２】
図２は、タブレット２とページめくり装置３との電気的構成の要部を示すブロック図である。まず、ページめくり装置３の電気的構成について説明する。
【００２３】
ページめくり装置３は、主として制御部３１と、記憶部３２、第１のモータ駆動回路部３３、第２のモータ駆動回路部３４、通信部３５、操作部３６、電源部３７から構成される。記憶部３２には、各種プログラムが記録されたＲＯＭ（Read Only Memory）と、当該プログラムが展開されるＲＡＭ（Random Access memory）とが含まれる。
【００２４】
操作部３６には、電源スイッチ等の各種スイッチが含まれる。第１のモータ駆動回路部３３には、めくり機構４１を駆動するモータや、送風部４４に設けられたファンを駆動するモータ、及びそれらのモータを駆動するモータドライバ等が含まれる。第２のモータ駆動回路部３４には、ページレシーバー７の内蔵モータを駆動するモータドライバが含まれる。
【００２５】
通信部３５は、タブレット２との通信インタフェースを司り、Ｂｌｕｅｔｏｏｔｈ（登録商標）やＷｉ−Ｆｉ（登録商標）等の通信方式によってタブレット２との接続を行う。電源部３７は、各ブロック３１〜３６に電力を供給する。
【００２６】
制御部３１は、通信部３５を介してタブレット２から受信した動作パラメータを記憶部３２に記録し、記憶部３２に記憶されているプログラムに従い動作パラメータに基づきタブレット２と協働して第１のモータ駆動回路部３３と第２のモータ駆動回路部３４とを制御し、アーム４２、及び送風部４４に設けられたファンやページレシーバー７を駆動する。
【００２７】
次に、タブレット２の電気的構成について説明する。タブレット２は、主として撮像部２１と、操作部２２と、表示部２３と、通信部２４と、制御部２５と、記憶部２６とから構成される。
【００２８】
撮像部２１は、書籍Ｂ等のページ画像を撮影可能なカメラであり、レンズを含む光学系の他に、ＣＣＤ（Charge Coupled Device）やＣＭＯＳ（Complementary Metal Oxide Semiconductor）等で構成された撮像素子等を有する。レンズを介して入射した光像は、この撮像素子でアナログ画像信号に光電変換され、色分離や色成分の毎のゲイン調整が行われた後に、ディジタルデータに変換される。なお、レンズ及び撮像素子は、図１には表れないタブレット２の裏面側に設けられている。
【００２９】
表示部２３は、ＬＣＤ（Liquid Crystal Display）や有機ＥＬ（Electro Luminescence）等の表示モニタを有し、表示モニタの画面上に撮像部２１により撮像されたページ画像や各種情報等を表示する。
【００３０】
操作部２２は、図示しない電源キー等の最小限の操作スイッチと、表示部２３が有する表示モニタの表面に一体的に設けられタブレット２の表面を構成するタッチパネルを含み、ユーザーによるタブレット２の操作情報を制御部２５へ供給する。
【００３１】
通信部２４は、ページめくり装置３との通信インタフェースを司り、Ｂｌｕｅｔｏｏｔｈ（登録商標）やＷｉ−Ｆｉ（登録商標）等の通信方式によってページめくり装置３との接続を行う。
【００３２】
制御部２５は、ＣＰＵ（Central Processing Unit）、及びその周辺回路等や、ＲＡＭ（Random Access memory）等を含み、タブレット２の各部を制御する。
【００３３】
記憶部２６には、例えば、半導体メモリが実装され、各種のアプリケーションプログラム、制御部２５がプログラム実行の過程で生成する各種データや、アプリケーションプログラムに使用され各種の設定データ等が保存されている。上記アプリケーションプログラムには、ページめくり装置３を用いて書籍等の各ページを撮影し、撮影により取得したページ画像を書籍ファイルとして記憶部２６に保存したり、保存した書籍ファイルの閲覧や編集を行うための書籍管理プログラムが含まれる。
【００３４】
また、記憶部２６には、書籍ファイルを作成する間には、書籍等の各ページを撮影した撮影画像、及び書籍の表紙、見返し（裏表紙側）、裏表紙、見返し（表紙側）をそれぞれ撮影した撮影画像からなる一連のページ画像が記憶される。
【００３５】
さらに、記憶部２６には、書籍ファイルや、一連のページ画像を書籍毎に管理するための複数の管理テーブル２６０を記憶する領域が確保されている。管理テーブル２６０には、書籍ファイルとして統合される以前の一連のページ画像について、各ページ画像と書籍の各ページとの対応関係を示す情報や、書籍のタイトルやページ数や書籍毎のページ画像のデータ量等の基本情報が記憶される。
【００３６】
以上の構成からなる書画カメラシステム１においては、ユーザーがタブレット２において書籍管理プログラムを起動させると、タブレット２とページめくり装置３とが無線接続される。その状態で、タブレット２を図１に示したようにページめくり装置３の上方に設置し、その状態でタブレット２を操作すれば、書籍Ｂの各ページを撮影することができる。
【００３７】
書籍Ｂの各ページを撮影するときの撮影作業には、表紙、見返し（表紙側）、左ページ、右ページ、裏表紙、見返し（裏表紙側）の各々の撮影作業が含まれる。左ページ及び右ページの撮影作業は、ページめくり装置３のアーム４２に図４（ａ）〜図４（ｄ）に示したページめくり動作を繰り返し行わせ、その間に左ページ又は右ページのみを連続して自動撮影する作業である。
【００３８】
また、撮影により得られた一連のページ画像は、ユーザーがタブレット２を操作することによってトリミング等の各種の編集作業を行うことができ、さらに、ユーザーがタブレット２を操作することによって、編集後の一連のページ画像を単一のファイルに統合し、決められたフォーマットの書籍ファイルとしてタブレット２に保存することができる。
【００３９】
以下、タブレット２の動作について説明する。図５は、書籍管理プログラムの起動後に、タブレット２に表示された操作メニュー画面からユーザーが書籍ファイルの作成作業の開始を指示したとき、制御部２５が書籍管理プログラムに従い実行する撮影準備処理を示したフローチャートである。
【００４０】
制御部２５は、撮影準備処理を開始すると直ちに図６に示した撮影準備画面Ｇ１を表示部２３に表示する（ステップＳＡ１）。撮影準備画面Ｇ１は、電子化する書籍、つまり撮影対象の書籍に応じた撮影作業の内容に関する設定や、ページめくり装置３の動作内容の設定を含む撮影に先立つ種々の準備作業を行うための操作画面である。なお、ページめくり装置３の動作内容の設定には、ページレシーバー７及びアーム４２の使用の有無の設定や、エアー（送風部４４）、ページレシーバー７、アーム４２の動作に関する設定が含まれる。
【００４１】
撮影準備画面Ｇ１は、画面上部に確保された固定領域Ｇａと、その下方側に確保されたスクロール可能領域Ｇｂとから構成される。固定領域Ｇａは、書籍ファイルの作成作業における個々の作業に際して表示部２３に表示される他の画面に共通して確保される領域であり、固定領域Ｇａには、個々の作業への移行指示に使用されるとともに、現在の作業内容を明示する第１の作業選択ボタン１０１ａ、第２の作業選択ボタン１０１ｂ、第３の作業選択ボタン１０１ｃが配置されている。
【００４２】
第１〜第３の作業選択ボタン１０１ａ〜１０１ｃは、作業内容を示す「撮影準備」、「撮影する」、「編集する」からなる文字と、作業内容を表現するマークとから構成され、それらが作業内容に応じて予め決められている表示色で表示されたものである。そして、撮影準備画面Ｇ１においては、第１の作業選択ボタン１０１ａが反転表示されることにより、現在の作業内容が撮影準備である旨が明示されている。
【００４３】
一方、スクロール可能領域Ｇｂは、準備作業別に設けられた複数の作業項目エリア２０１が複数配置されるともに、ユーザーのスクロール操作に応じて表示内容がスクロールされる領域である。つまり表示されていない作業項目エリア２０１がスクロール操作に応じて適宜表示される領域である。なお、スクロール可能領域Ｇｂは、本実施形態とは異なり特定の作業項目エリア２０１が配置された複数のページをユーザーのページ替え操作に応じて適宜表示させる領域とすることもできる。
【００４４】
図６は、撮影準備処理の開始当初における撮影準備画面Ｇ１の状態を示した図であり、撮影準備処理の開始当初においては、作業項目エリア２０１として、書籍（本）の名称を入力する文字入力ボックス３０１が設けられた作業項目エリアと、書籍（本）の構成に関する複数項目の情報を設定するための作業項目エリアとが表示される。書籍（本）の構成に関する設定項目は「めくり方向」、「印刷」、「本の大きさ」、「紙の種類」である。
【００４５】
「めくり方向」は、書籍の綴じ方向（左綴じ又は右綴じ）に関する情報であり、めくり方向設定ボタン３０２の操作によって「左めくり」又は「右めくり」が設定可能である。ここで「左めくり」は左綴じの書籍（本文が横書きの書籍等）に対応するめくり方向であり、「右めくり」は右綴じの書籍（本文が縦書きの書籍やマンガ本等）に対応するめくり方向である。
【００４６】
「印刷」は、書籍における撮影対象に関する情報であり、切替ボタン３０３の操作によって撮影対象を「片面」とするか否か、つまり撮影対象を「片面」又は「両面」に設定可能である。ここで、「両面」とは、書籍の各ページと表紙及び裏表紙等の全ての面であり、「片面」とは、それらの片側の面である。
【００４７】
また、図６は、撮影対象が「片面」に設定されていない初期状態、すなわち「両面」に設定されている状態を示した図であり、撮影対象が「片面」に設定されているときには、図７に示したように、切替ボタン３０３の直下に、撮影対象を左ページ又は右ページに設定するための撮影ページ指定ボタン３０４が追加表示される。ここで、左ページ及び右ページは見開き状態における書籍の左側ページ及び右側ページである。
【００４８】
「本の大きさ」は、大きさ設定ボタン３０５の操作によって「小サイズ」（文庫本〜Ａ５に対応）、「中間サイズ」（Ａ５〜Ｂ５に対応）、「大サイズ」（Ｂ５〜Ａ４に対応）が設定可能である。「紙の種類」は、書籍の本文ページ（前書や後書等を含む本文が印刷されているページ）の紙の厚さ等の種類に関する情報であり、種類設定ボタン３０６の操作によって「薄紙」、「普通」、「マンガ紙」が設定可能である。
【００４９】
そして、図５に示したように撮影準備画面Ｇ１を表示した後、制御部２５は、ユーザーにより印刷の設定が変更され（ステップＳＡ２：ＹＥＳ）、その変更内容が「片面」への変更であれば（ステップＳＡ３：ＹＥＳ）、図７に示したように撮影準備画面Ｇ１に撮影ページ指定ボタン３０４を追加する（ステップＳＡ４）。その際、制御部２５は、切替ボタン３０３をオン状態にする。また、制御部２５は、変更内容が「両面」への変更であれば（ステップＳＡ３：ＮＯ）、図６に示したように撮影準備画面Ｇ１から撮影ページ指定ボタン３０４を隠す（ステップＳＡ５）。その際、制御部２５は、切替ボタン３０３をオフ状態にする。
【００５０】
また、撮影準備画面Ｇ１を表示している間、制御部２５は、ユーザーによって印刷の設定変更以外の他の操作があれば（ステップＳＡ６：ＹＥＳ）、操作に応じた処理を実行する。例えば書籍（本）の名称が入力された際には、入力された文字列を文字入力ボックス３０１に表示させる。また、「印刷」以外の書籍（本）の構成に関する他の設定項目、つまり「めくり方向」、「本の大きさ」、「紙の種類」の何れかの設定内容が変更されたときには、めくり方向設定ボタン３０２や撮影ページ指定ボタン３０４、大きさ設定ボタン３０５、種類設定ボタン３０６を、変更後の設定内容を示す状態に変更する。また、スクロール操作があれば、それに応じてスクロール可能領域Ｇｂの表示内容をスクロールさせる。さらに、上記以外の撮影に先立つ準備作業に関する操作に応じた各種の処理を行う。
【００５１】
以後、制御部２５は、ユーザーから他の作業への移行が指示されるまで、すなわち第２の作業選択ボタン１０１ｂのタッチ操作による実際の撮影作業への移行、又は第３の作業選択ボタン１０１ｃのタッチ操作による編集への移行が指示されるまで（ステップＳＡ８：ＮＯ）、ステップＳＡ２以降の処理を繰り返す。
【００５２】
その後、他の作業への移行が指示された時点で（ステップＳＡ５：ＹＥＳ）、制御部２５は、撮影準備画面Ｇ１において設定されている撮影作業の内容を記憶部２６に記憶し（ステップＳＡ９）、撮影準備処理を終了する。
【００５３】
図８は、例えばユーザーによる撮影作業への移行指示に従い撮影準備処理を終了した後、制御部２５が書籍管理プログラムに従い実行する撮影処理を示したフローチャートである。
【００５４】
制御部２５は、撮影処理を開始すると、直近の撮影準備処理で記憶部２６に記憶した「めくり方向」と「印刷」に関する設定内容を確認した後（ステップＳＢ１）、確認した設定内容に応じて以下の処理を行う。
【００５５】
すなわち「めくり方向」の設定が「右めくり」である場合（ステップＳＢ２：ＹＥＳ）、制御部２５は、「印刷」の設定が「片面」でなく「両面」であれば（ステップＳＢ３：ＮＯ）、右開き両ページ用の撮影操作画面を表示部２３に表示する（ステップＳＢ４）。
【００５６】
また、「めくり方向」の設定が「右めくり」であるとともに（ステップＳＢ２：ＹＥＳ）、「印刷」の設定が「片面」である場合（ステップＳＢ３：ＹＥＳ）、制御部２５は、撮影対象が右ページであれば（ステップＳＢ５：ＹＥＳ）、右開き右ページ用の撮影操作画面を表示部２３に表示する（ステップＳＢ６）。逆に、撮影対象が左ページであれば（ステップＳＢ５：ＮＯ）、制御部２５は、右開き左ページ用の撮影操作画面を表示部２３に表示する（ステップＳＢ７）。
【００５７】
一方、制御部２５は、「めくり方向」の設定が「左めくり」である場合（ステップＳＢ２：ＮＯ）、「印刷」の設定が「片面」でなく「両面」であれば（ステップＳＢ８：ＮＯ）、左開き両ページ用の撮影操作画面を表示部２３に表示する（ステップＳＢ９）。
【００５８】
また、「めくり方向」の設定が「左めくり」であるとともに（ステップＳＢ２：ＮＯ）、「印刷」の設定が「片面」である場合（ステップＳＢ８：ＹＥＳ）、制御部２５は、撮影対象が右ページであれば（ステップＳＢ１０：ＹＥＳ）、左開き右ページ用の撮影操作画面を表示部２３に表示する（ステップＳＢ１１）。逆に、撮影対象が左ページであれば（ステップＳＢ１０：ＮＯ）、制御部２５は、左開き左ページ用の撮影操作画面を表示部２３に表示する（ステップＳＢ１２）。
【００５９】
ここで、以上の処理で表示部２３に表示される各々の撮影操作画面（右開き両ページ用、右開き右ページ用、右開き左ページ用、左開き両ページ用、左開き右ページ用、左開き左ページ用）について説明する。各々の撮影操作画面は、「めくり方向」と「印刷」との設定内容に応じた複数の撮影工程からなる撮影手順を一括してユーザーに提供するとともに、ユーザーに各撮影工程での撮影を個別に指示させるための操作画面である。
【００６０】
図９及び図１０は、ステップＳＢ４の処理で表示される右開き両ページ用の撮影操作画面Ｇ２を示す図である。右開き両ページ用の撮影操作画面Ｇ２においては、固定領域Ｇａの第２の作業選択ボタン１０１ｂが反転表示されることにより、現在の作業内容が撮影作業である旨が明示されている。なお、これについては他の撮影操作画面についても同様である。
【００６１】
右開き両ページ用の撮影操作画面Ｇ２は、右綴じの書籍（本文が縦書きの書籍やマンガ本）の表紙及び裏表紙等を含む全ページを撮影する際の複数の撮影工程からなる撮影手順を一括してユーザーに提供するものである。なお、ユーザーに提供する撮影手順は、撮影作業を効率的に行うための予め決められている標準的な撮影手順である。
【００６２】
また、複数の撮影工程は次の第１〜第６の撮影工程である。第１の撮影工程は、左ページ（本文の奇数ページ等）を連続撮影する工程である。第２の撮影工程は、書籍の表紙（表表紙）を撮影する工程である。第３の撮影工程は、書籍の見返し（裏表紙側）を撮影する工程である。第４の撮影工程は、右ページ（本文の偶数ページ等）を連続撮影する工程である。第５の撮影工程は、書籍の表紙（裏表紙）を撮影する工程である。第６の撮影工程は書籍の見返し（表表紙側）を撮影する工程である。
【００６３】
そして、右開き両ページ用の撮影操作画面Ｇ２においては、ユーザーのスクロール操作に伴い図９に示した状態や図１０に示した状態に変化することにより撮影手順を一括してユーザーに提供する。すなわち右開き両ページ用の撮影操作画面Ｇ２においては、第１〜第６の撮影工程に対応する第１の撮影対象説明エリア４０１ａ〜第６の撮影対象説明エリア４０１ｆがスクロール可能領域Ｇｂに確保される。また、第１の〜第６の撮影対象説明エリア４０１ａ〜４０１ｆには、タッチ操作によってユーザーが各撮影工程での撮影の実施を指示するための撮影指示ボタン５０１と、説明画像５０２とがそれぞれ配置される。
【００６４】
撮影指示ボタン５０１には、各々の撮影工程の作業内容を示す文字列（「左ページを撮影」等）が表示される。また、説明画像５０２は、撮影時に書籍Ｂをページめくり装置３の保持台５に置くときの上下の向き、及び開閉状態を示す画像であり、例えばイラストや、実際の書籍を撮影した見本画像である。なお、図１０に示したように、右綴じの書籍の表紙及び裏表紙等を含む全ページを撮影する際、第４〜第６の撮影工程では上下の向きを反転させた状態で書籍Ｂを保持台５に置くこととなる。
【００６５】
また、ステップＳＢ６の処理で表示される右開き右ページ用の撮影操作画面は、右綴じの書籍の裏表紙等を含む右ページのみを撮影する際の複数の撮影工程からなる撮影手順を一括してユーザーに提供するものである。複数の撮影工程は第１〜第３の撮影工程であり、各々の撮影工程は、先に説明した右綴じの書籍の表紙及び裏表紙等を含む全ページを撮影する際の撮影手順における第４〜第６の撮影工程と同一である。
【００６６】
また、図示しないが右開き右ページ用の撮影操作画面は、図１０に示した状態の右開き両ページ用の撮影操作画面Ｇ２において確保される第４の撮影対象説明エリア４０１ｄ〜第６の撮影対象説明エリア４０１ｆのみがスクロール可能領域Ｇｂに確保された操作画面である。
【００６７】
また、ステップＳＢ７の処理で表示される右開き左ページ用の撮影操作画面は、右綴じの書籍の表表紙等を含む左ページのみを撮影する際の複数の撮影工程からなる撮影手順を一括してユーザーに提供するものである。複数の撮影工程は第１〜第３の撮影工程であり、各々の撮影工程は、先に説明した右綴じの書籍の表紙及び裏表紙等を含む全ページを撮影する際の撮影手順における第１〜第３の撮影工程と同一である。
【００６８】
また、図示しないが右開き左ページ用の撮影操作画面は、図９に示した状態の右開き両ページ用の撮影操作画面Ｇ２において確保される第１の撮影対象説明エリア４０１ａ〜第３の撮影対象説明エリア４０１ｃのみがスクロール可能領域Ｇｂに確保された操作画面である。
【００６９】
一方、図１１及び図１２は、ステップＳＢ９の処理で表示される左開き両ページ用の撮影操作画面Ｇ３を示す図である。左開き両ページ用の撮影操作画面Ｇ３は、左綴じの書籍（本文が横書きの書籍）の表紙及び裏表紙等を含む全ページを撮影する際の複数の撮影工程からなる撮影手順を一括してユーザーに提供するものである。なお、ユーザーに提供する撮影手順は、撮影作業を効率的に行うための予め決められている標準的な撮影手順である。
【００７０】
また、複数の撮影工程は次の第１〜第６の撮影工程である。第１の撮影工程は、右ページ（本文の奇数ページ等）を連続撮影する工程である。第２の撮影工程は、書籍の表紙（表表紙）を撮影する工程である。第３の撮影工程は、書籍の見返し（裏表紙側）を撮影する工程である。第４の撮影工程は、左ページ（本文の偶数ページ等）を連続撮影する工程である。第５の撮影工程は、書籍の表紙（裏表紙）を撮影する工程である。第６の撮影工程は書籍の見返し（表表紙側）を撮影する工程である。
【００７１】
そして、左開き両ページ用の撮影操作画面Ｇ３においては、右開き両ページ用の撮影操作画面Ｇ２と同様、ユーザーのスクロール操作に伴い図１１に示した状態や図１２に示した状態に変化することにより撮影手順が一括してユーザーに提供される。すなわち左開き両ページ用の撮影操作画面Ｇ３においても、第１〜第６の撮影工程に対応する第１の撮影対象説明エリア４０１ａ〜第６の撮影対象説明エリア４０１ｆがスクロール可能領域Ｇｂに確保される。また、第１の〜第６の撮影対象説明エリア４０１ａ〜４０１ｆには、タッチ操作によってユーザーが各撮影工程での撮影の実施を指示するための撮影指示ボタン５０１と、説明画像５０２とがそれぞれ配置される。
【００７２】
撮影指示ボタン５０１及び説明画像５０２の詳細については既説したとおりである。なお、図１１に示したように、左綴じの書籍の表紙及び裏表紙等を含む全ページを撮影する際、第１〜第３の撮影工程では上下の向きを反転させた状態で書籍Ｂを保持台５に置くこととなる。
【００７３】
また、ステップＳＢ１１の処理で表示される左開き右ページ用の撮影操作画面は、左綴じの書籍の表表紙等を含む右ページのみを撮影する際の複数の撮影工程からなる撮影手順を一括してユーザーに提供するものである。複数の撮影工程は第１〜第３の撮影工程であり、各々の撮影工程は、先に説明した左綴じの書籍の表紙及び裏表紙等を含む全ページを撮影する際の撮影手順における第１〜第３の撮影工程と同一である。
【００７４】
また、図示しないが左開き右ページ用の撮影操作画面は、図１１に示した状態の左開き両ページ用の撮影操作画面Ｇ３において確保される第１の撮影対象説明エリア４０１ａ〜第３の撮影対象説明エリア４０１ｃのみがスクロール可能領域Ｇｂに確保された操作画面である。
【００７５】
また、ステップＳＢ１２の処理で表示される左開き左ページ用の撮影操作画面は、左綴じの書籍の裏表紙等を含む左ページのみを撮影する際の複数の撮影工程からなる撮影手順を一括してユーザーに提供するものである。複数の撮影工程は第１〜第３の撮影工程であり、各々の撮影工程は、先に説明した左綴じの書籍の表紙及び裏表紙等を含む全ページを撮影する際の撮影手順における第４〜第６の撮影工程と同一である。
【００７６】
また、図示しないが左開き左ページ用の撮影操作画面は、図１２に示した状態の左開き両ページ用の撮影操作画面Ｇ３において確保される第４の撮影対象説明エリア４０１ｄ〜第６の撮影対象説明エリア４０１ｆのみがスクロール可能領域Ｇｂに確保された操作画面である。
【００７７】
そして、上述したいずれかの撮影操作画面を表示部２３に表示した後、制御部２５は、ユーザーから撮影指示ボタン５０１のタッチ操作による撮影指示の有無、及び撮影作業の終了指示（第３の作業選択ボタン１０１ｃのタッチ操作による編集への移行指示等）の有無を逐次確認する（ステップＳＢ１３、ステップＳＢ１５）。
【００７８】
そして、制御部２５は、撮影指示や撮影作業の終了指示があるまで待機し（ステップＳＢ１３：ＮＯ、ステップＳＢ１５：ＮＯ）、撮影指示があれば（ステップＳＢ１３：ＹＥＳ）、タッチ操作された撮影指示ボタン５０１に対応する撮影工程でのページ撮影を実行する（ステップＳＢ１４）。
【００７９】
その際、例えば図９及び図１０に示した右開き両ページ用の撮影操作画面Ｇ２を表示している場合において制御部２５は次の処理を行う。すなわち制御部２５は、撮影指示が第１の撮影工程における撮影指示であったときには、ページめくり装置３にページめくり動作を繰り返し行わせる一方、それと連動して撮像部２１による撮影を繰り返し行う。それにより、右綴じの書籍の左ページの撮影画像（一連のページ画像）を記憶部２６に保存する。また、撮影指示が第２の撮影工程における撮影指示であったときには、撮像部２１による１回の撮影を行い、右綴じの書籍の表紙（表表紙）の撮影画像を記憶部２６に保存する。
【００８０】
以後、制御部２５はステップＳＢ１３へ戻り、以降の処理を繰り返し、撮影作業の終了指示があった時点で（ステップＳＢ１５：ＹＥＳ）、撮影処理を終了する。
【００８１】
以上説明した撮影処理においては、「めくり方向」と「印刷」に関するユーザーの設定内容に対応する撮影操作画面（右開き両ページ用、右開き右ページ用、右開き左ページ用、左開き両ページ用、左開き右ページ用、左開き左ページ用）を表示部２３に表示することにより、上記設定内容に応じた複数の撮影工程からなる撮影手順を一括してユーザーに提供する。
【００８２】
したがって、ユーザーにおいては、「めくり方向」と「印刷」に関する設定を事前に行うだけで、効率的な撮影手順に従って撮影作業を行うことができる。また、撮影対象が書籍の「両面」である場合においては、どの作業段階で書籍の上下の向きを反転すればよいかを知ることができる。したがって、複数工程からなる煩雑な撮影作業を効率良く行うことができ、書籍の電子データ化に伴う撮影作業における作業者の作業性を向上させることができる。
【００８３】
なお、ここではユーザーの設定内容に応じた複数の撮影工程を、その設定内容に対応する撮影操作画面に一括して表示したが、撮影作業の進捗状況に従い撮影工程毎に個別にユーザーに提供するようにしてもよい。すなわち図９及び図１０や図１１及び図１２に示した第１から第６の撮影対象説明エリア４０１ａ〜４０１ｆや、第１から第３の撮影対象説明エリア４０１ａ〜４０１ｃ、第４から第６の撮影対象説明エリア４０１ｄ〜４０１ｆを、撮影指示に応じた処理が終了する毎に、次の撮影工程のみを表示部２３に表示するようにしてもよい。
【００８４】
また、撮影作業の進捗状況に従い撮影工程毎に個別にユーザーに提供する場合、各撮影工程の提供は表示部２３への表示によらず音声によってユーザーに提供するようにしてもよい。その場合の音声は、例えば「次に表紙を撮影します」である。また、その場合における各撮影工程での撮影は、ユーザーによって表示部２３の表示画面内の任意の場所がタッチされたら、それを撮影指示と判断して行うようにすればよい。
【００８５】
ここで、本実施形態ではタブレット２において書籍管理プログラムを実行した場合について説明したが、これに限らず、一般的なパーソナルコンピュータ等の他の情報機器においても前述した書籍管理プログラムと同様の処理を可能とするプログラムを供給することにより本発明に係る機能を実現することができる。さらに、プログラムの供給方法は任意であり、例えばインターネット上のＷｅｂページを介してプログラムをパーソナルコンピュータ等に供給してもよい。
【００８６】
以上、本発明の好ましい実施形態及びその変形例について説明したが、本発明は、これらに限定されるものではなく、特許請求の範囲に記載された発明とその均等の範囲を含むものである。以下に、本出願の当初の特許請求の範囲に記載された発明を付記する。
（付記１）
見開き状態の書籍の各ページをめくり元位置からめくり先位置へめくるページめくり装置を使用する前記書籍の電子データ化に向けた撮影作業の内容をユーザーに設定させる設定手段と、
ユーザーに設定された前記撮影作業の内容に応じた撮影手順に関する案内情報をユーザーに提供する提供手段と
を備えたことを特徴とする撮影作業支援装置。
（付記２）
前記撮影作業には、作業途中に前記書籍の上下方向の向きの反転を要する撮影作業が含まれることを特徴とする付記１記載の撮影作業支援装置。
（付記３）
前記撮影作業の内容には、前記書籍における撮影対象と前記書籍の綴じ方向とに関する情報が含まれることを特徴とする付記１又は２記載の撮影作業支援装置。
（付記４）
前記提供手段は、前記案内情報として、前記撮影手順を構成する複数の撮影工程の内容をユーザーに提供することを特徴とする付記１，２又は３記載の撮影作業支援装置。
（付記５）
前記複数の撮影工程の内容を表示する表示手段を備え、
前記提供手段は、前記複数の撮影工程の内容を前記表示手段に表示させることにより、前記撮影手順をユーザーに提供する
ことを特徴とする付記４記載の撮影作業支援装置。
（付記６）
前記提供手段は、前記複数の撮影工程の内容を、前記表示手段に一括して表示させることにより、前記撮影手順をユーザーに提供することを特徴とする付記５記載の撮影作業支援装置。
（付記７）
前記提供手段は、前記複数の撮影工程の内容を、前記撮影作業の進捗状況に従い前記表示手段に個別に表示させることにより、前記撮影手順をユーザーに提供することを特徴とする付記５記載の撮影作業支援装置。
（付記８）
見開き状態の書籍の各ページをめくり元位置からめくり先位置へめくるページめくり装置を使用する前記書籍の電子データ化に向けた撮影作業の内容をユーザーに設定させる設定ステップと、
ユーザーに設定された前記撮影作業の内容に応じた撮影手順に関する案内情報をユーザーに提供する提供ステップと
を含むことを特徴とする撮影作業支援方法。
（付記９）
コンピュータに、
見開き状態の書籍の各ページをめくり元位置からめくり先位置へめくるページめくり装置を使用する前記書籍の電子データ化に向けた撮影作業の内容をユーザーに設定させる設定機能、
ユーザーに設定された前記撮影作業の内容に応じた撮影手順に関する案内情報を、所定の情報出力装置を介しユーザーに提供する提供機能と
を実現させるためのプログラム。
【符号の説明】
【００８７】
１・・・書画カメラシステム、２・・・タブレット、３・・・ページめくり装置、２１・・・撮像部、２３・・・表示部、２５・・・制御部、２６・・・記憶部、Ｂ・・・書籍、Ｇ１・・・撮影準備画面、Ｇ２・・・右開き両ページ用の撮影操作画面、Ｇ３・・・左開き両ページ用の撮影操作画面、Ｐ，Ｐ１，Ｐ２・・・ページ
【図１】
0006376099.tif 000002
【図２】
0006376099.tif 000003
【図３】
0006376099.tif 000004
【図４】
0006376099.tif 000005
【図５】
0006376099.tif 000006
【図６】
0006376099.tif 000007
【図７】
0006376099.tif 000008
【図８】
0006376099.tif 000009
【図９】
0006376099.tif 000010
【図１０】
0006376099.tif 000011
【図１１】
0006376099.tif 000012
【図１２】
0006376099.tif 000013